(57)【要約】  【課題】  方向調整を行いながら電波伝搬遮蔽地帯を簡単に確認可能なＦＰＵリモコンシステムにおける受信アンテナの受信方向表示方法を提供する。  【解決手段】  映像信号を送信する送信装置と、送信された信号を受信アンテナで受信する受信装置と、受信アンテナの受信方向をリモートコントロールする制御装置とを有するＦＰＵリモコンシステムにおいて、制御装置が備える画面上に、受信アンテナの垂直角度線と受信アンテナの水平角度に該当する縦断面を表示し且つ受信アンテナの受信方向を変えたとき変えた受信方向に対応する受信アンテナの水平角度に該当する縦断面図を表示することを特徴とする。【選択図】    図１
2005073007.tif 000002
【特許請求の範囲】
【請求項１】
映像信号を送信する送信装置と、送信された信号を受信アンテナで受信する受信装置と、前記受信アンテナの受信方向をリモートコントロールする制御装置とを有するＦＰＵリモコンシステムにおいて、前記制御装置が備える画面上に、前記受信アンテナの垂直角度線と前記受信アンテナの水平角度に該当する縦断面を表示し且つ前記受信アンテナの受信方向を変えたとき変えた受信方向に対応する前記受信アンテナの水平角度に該当する縦断面図を表示することを特徴とするＦＰＵリモコンシステムにおける受信アンテナの受信方向表示方法。
【発明の詳細な説明】
【技術分野】
【０００１】
本発明は、映像信号を送信する送信装置と、送信された信号を受信アンテナで受信する受信装置と、前記受信アンテナの受信方向をリモートコントロールする制御装置とを有するＦＰＵ（Field Pick-up Unit）リモコンシステムにおける受信アンテナの受信方向表示方法に関する。
【背景技術】
【０００２】
従来、映像信号を放送する放送局などでは、放送するニュース番組などで使用する映像素材をテレビジョンカメラ等で撮影して得、その得られた映像素材をマイクロ波で中継車などから送信して、その送信電波を受信基地局（例えば、見通しのよい山頂などに設置された受信設備であって、通常は回転式アンテナがあり、その周囲一円からの受信が可能にされている）で受信され、その受信電波の放送素材を専用ＴＳＬ回線によって本社スタジオへ伝送し、そこで収録または放送される。
【０００３】
ここで、従来からあるアナログ方式のＦＰＵリモコンシステムの場合、受信基地局の受信状態は、受信電界の強弱を表すためのメータが、例えば、本社の制御装置であるパソコンの画面上に表示されて、操作者がその表示を見て良否判定する方式としていた。
【０００４】
一方、地上波デジタル放送として、近年開発されてきている放送方式に用いるデジタル信号受信方式のＦＰＵリモコンシステムでは、受信電界の強弱を表すメータだけでは、受信状態の良否判定を正確に行うことはできない。
【０００５】
図４は、従来の技術に関わるＦＰＵリモコンシステムにおけるリモートコントロール制御装置の画面の例を示す図である。図４において、１０１はＦＰＵリモコンシステムにおけるリモートコントロール制御装置の画面の例で、受信基地局の回転パラボラアンテナを載置した回転台や受信機の電源・周波数を制御操作する。１０２は受信基地局付近の平面地図表示エリアである。１０３は真北を０度としたときの平面地図表示エリア１０２上において、受信基地局の回転パラボラアンテナの水平角度線である。１０４は水平角度と垂直角度のデジタル表示エリアである。１０５は受信基地局の回転アンテナで受信された電波の受信電界強度を表すメータである。通常、操作者はこのメータ１０５を見ながら回転パラボラアンテナを動かし受信電界が最も強い方向へ調整する（例えば、特許文献１参照）。
【０００６】
また、中継車などと受信基地局との間には、電波を遮る障害物のない良好な電波伝播経路を設定する必要がある。そのため送信装置を有する中継車などを設置するのに適した送信地点の割出しを行っているが、この割出しは、過去に実績のある送信地点のうちから選択したり、あるいは、例えば、市販されている５０ｍメッシュあるいは２５０ｍメッシュで日本全国の地表面を区切った地表高データを使用して送信地点および受信地点間の地形的なプロファイルを作成および表示し、障害物の有無を判定する方法等が使用されている。
【０００７】
具体的に受信基地局の遠方監視制御装置（例えば、特許文献２参照。）には、ＦＰＵ受信基地局を中心とした地図面を表示し、これに高度データファイルからの高度データをもとに地形隆起パターンを生成し、中継回線ルートと共にマイクロルート見通し判定表示部に表示する技術が知られている。
【０００８】
また、電波伝播経路の地形的なプロフィール計算結果の表示方法（例えば、特許文献３参照。）には、送信地点、受信地点の経度および緯度とアンテナ設置高度を入力し、これらに地形標高データを用いて電波伝播経路の地形的なプロフィールを計算し、表示装置に表示する技術が示されている。
【０００９】
【特許文献１】特開２００３−７８４６７号公報
【００１０】
【特許文献２】特公平７−９７７５９号公報
【特許文献３】特開２０００−３４１２２４号公報
【発明の開示】
【発明が解決しようとする課題】
【００１１】
これら従来の技術は、地形断面図表示装置で平面地図上に送信地点および受信地点の２地点を指定し、平面地図上に２地点間の線及び地形断面図を表示し、この平面地図と断面図とを基にして、電波伝播経路をオペレータが平面地図をスクロールしながら電波伝播経路の見通し状況を確認している状況である。
【００１２】
しかしながら、送信地点を変えたときそのたびに送信地点および受信地点の２地点を指定し直して変えた送信地点および受信地点の２地点間の地形断面図を表示する必要があるため、方向調整を行いながら電波伝搬遮蔽地帯を認識するのに時間がかかるとともに、回転パラボラアンテナの実垂直角度がイメージとして捕まえにくいものであった。
【００１３】
本発明の課題は、方向調整を行いながら電波伝搬遮蔽地帯を簡単に確認可能なＦＰＵリモコンシステムにおける受信アンテナの受信方向表示方法を提供することにある。
【課題を解決するための手段】
【００１４】
本発明は、上記課題を解決するために、映像信号を送信する送信装置と、送信された信号を受信アンテナで受信する受信装置と、前記受信アンテナの受信方向をリモートコントロールする制御装置とを有するＦＰＵリモコンシステムにおいて、前記制御装置が備える画面上に、前記受信アンテナの垂直角度線と前記受信アンテナの水平角度に該当する縦断面を表示し且つ前記受信アンテナの受信方向を変えたとき変えた受信方向に対応する前記受信アンテナの水平角度に該当する縦断面図を表示することを特徴とする。
【発明の効果】
【００１５】
以上説明したように、本発明によれば、方向調整を行いながら電波伝搬遮蔽地帯を簡単に確認可能なＦＰＵリモコンシステムにおける受信アンテナの受信方向表示方法を得ることができる効果を奏する。
【発明を実施するための最良の形態】
【００１６】
本発明に係る実施の形態について、図１〜図３を用いて詳述する。
【００１７】
図１は、本発明に係る実施の形態に関わるＦＰＵリモコンシステムにおけるリモートコントロール制御装置の画面の例を示す図である。図１において、１０１はＦＰＵリモコンシステムにおけるリモートコントロール制御装置の画面の例で、受信基地局の回転パラボラアンテナを載置した回転台や受信機の電源・周波数を制御操作する。１０２は受信基地局付近の平面地図表示エリアである。１０３は真北を０度としたときの平面地図表示エリア１０２上において、受信基地局の回転パラボラアンテナの水平角度線である。１０４は水平角度と垂直角度のデジタル表示エリアである。１０５は受信基地局の回転アンテナで受信された電波の受信電界強度を表すメータである。１０６は回転パラボラアンテナの垂直角度表示エリアである。１０７は回転パラボラアンテナの垂直角度線である。１０８は回転パラボラアンテナの水平角度に該当する縦断面図である。
【００１８】
図３は、本発明に係る実施の形態に関わるＦＰＵリモコンシステムにおけるリモートコントロール制御装置の構成図である。図３において、３０１は、平面地図および地形断面等を表示するための画面１０１が表示される表示部、３０２は、地図データファイルであって、例えば、市販されている緯度ＬＡ、経度ＬＯおよび等高線のデータが蓄積されている。３０３は、高度データファイルであって、例えば、国土地理印発行の高度データが蓄積されている。この高度データは、日本全国の地表面を２５０ｍあるいは５０ｍのメッシュ（格子状）に区切られ、それぞれのメッシュには、緯度ＬＡおよび経度ＬＯと、各メッシュにおける平均高度データＡが付けられている。３０４は、マイコンのようなコンピュータ（ＣＰＵ）で、地図断面図生成部３０５と処理部３０６を有する。３０７はメモリであって、地図断面図生成部３０５で生成した縦断面図を記憶している。３０８は、キーボードまたはマウス等の入力部である。
【００１９】
而して、メモリ３０７には、受信基地局の回転パラボラアンテナの水平角度に該当する縦断面図しかも該アンテナの向きを１度づつ回転させた際の各回転角度における全ての回転パラボラアンテナの水平角度に該当する縦断面図を記憶している。
【００２０】
次に、メモリ３０７への、各回転角度における全ての回転パラボラアンテナの水平角度に該当する縦断面図の記憶について説明する。
【００２１】
まず、受信基地局の緯度および経度をマウス（所要押しボタンの選択）とキーボード（数値の入力）を使用して指定する。次に、受信基地局から例として１０Ｋｍ離れた地点を仮想点としてその仮想点の緯度および経度を同様に指定する。受信基地局の緯度、経度および仮想点の緯度および経度が指定されると、受信基地局と仮想点を結ぶ線即ちアンテナの水平角度線上の緯度および経度が地図データファイル３０２から読み出され、断面図生成部３０５に出力される。一方、ＣＰＵ３０６は、地図データファイル３０２から読み出された緯度および経度情報を基に、高度データファイル３０３からそれぞれの（緯度、経度）の情報に対応する、例えばそれぞれの５０ｍメッシュの平均高度データを断面図生成部３０５に出力する。断面図生成部３０５では、これら緯度、経度および高度データを基に地形断面表示線を演算し、地形断面図としてメモリ３０７に記憶する。
【００２２】
次に、受信基地局からの上記仮想点を受信基地局を軸に１度（１°）回転させたときの次の仮想点の緯度、経度を指定する。受信基地局の緯度、経度および次の仮想点の緯度および経度が指定されると、受信基地局と次の仮想点を結ぶ線即ちアンテナの水平角度線上の次の緯度および経度が地図データファイル３０２から読み出され、断面図生成部３０５に出力される。一方、ＣＰＵ３０６は、地図データファイル３０２から読み出された次の緯度および経度情報を基に、高度データファイル３０３からそれぞれの（緯度、経度）の情報に対応する、例えばそれぞれの５０ｍメッシュの平均高度データを断面図生成部３０５に出力する。断面図生成部３０５では、これら次の緯度、経度および高度データを基に地形断面表示線を演算し、次の地形断面図としてメモリ３０７に記憶する。
【００２３】
以下、同様にして、順次１度（１°）づつ回転させ、３６０度（１°）回転させた際の各回転角度における全ての回転パラボラアンテナの水平角度に該当する地形断面表示線を演算し、地形断面図としてメモリ３０７に記憶する。
【００２４】
かくして、メモリ３０７には、受信基地局の回転パラボラアンテナの水平角度に該当する縦断面図しかも該アンテナを１度（１°）づつ回転させた際の各回転角度における全ての回転パラボラアンテナの水平角度に該当する縦断面図を記憶している。
【００２５】
本発明に係る実施の形態においては、このようなメモリ３０７を有することにより、方向調整を行いながら電波伝搬遮蔽地帯を簡単に確認可能なＦＰＵリモコンシステムにおける回転パラボラアンテナの受信方向表示方法を得ることができる。
【００２６】
図２は、本発明に係る実施の形態におけるＦＰＵリモコンシステムにおけるリモートコントロール制御装置の画面１０１（図１）上の回転パラボラアンテナの垂直角度表示エリア１０６を示し、回転パラボラアンテナの受信方向を方向調整する際の様子を示す図である。図２において、（ａ）は図１と同じで初期状態であり、１０７は回転パラボラアンテナの垂直角度線、１０８は回転パラボラアンテナの水平角度に該当する縦断面図である。（ｂ）は（ａ）の状態から回転パラボラアンテナを水平角度のみ変えた場合で、変えた回転パラボラアンテナの水平角度に該当する縦断面図１０８Ａが、メモリ３０７から読み出され、表示される。（ｃ）は（ｂ）の状態から回転パラボラアンテナを垂直角度のみ変えた場合で、変えた回転パラボラアンテナの垂直角度線１０８Ａが表示される。
【００２７】
また、（ｄ）は（ｂ）の状態から回転パラボラアンテナをさらに水平角度のみ変えた場合で、変えた回転パラボラアンテナの水平角度に該当する縦断面図１０８Ｂが、メモリ３０７から読み出され、表示される。この場合、回転パラボラアンテナの垂直角度線１０７の途中が回転パラボラアンテナの水平角度に該当する縦断面図１０８Ｂによって遮蔽されることが一目瞭然に確認することができる。
【００２８】
このように本実施の形態によれば、回転パラボラアンテナを水平角度に変えるだけの方向調整を行うだけで、回転パラボラアンテナの垂直角度線１０７が遮断される電波伝搬遮蔽地帯を簡単に一目瞭然に確認することができる。
【図面の簡単な説明】
【００２９】
【図１】本発明に係る実施の形態に関わるＦＰＵリモコンシステムにおけるリモートコントロール制御装置の画面の例を示す図である。
【図２】本発明に係る実施の形態におけるＦＰＵリモコンシステムにおけるリモートコントロール制御装置の画面上の回転パラボラアンテナの垂直角度表示エリアを示し、回転パラボラアンテナの受信方向を方向調整する際の様子を示す図である。
【図３】本発明に係る実施の形態に関わるＦＰＵリモコンシステムにおけるリモートコントロール制御装置の構成図である。
【図４】従来の技術に関わるＦＰＵリモコンシステムにおけるリモートコントロール制御装置の画面の例を示す図である。
【符号の説明】
【００３０】
１０１：画面、１０２：平面地図表示エリア、１０３：受信基地局の回転パラボラアンテナの水平角度線、１０４：水平角度と垂直角度のデジタル表示エリア、１０５：メータ、１０６：回転パラボラアンテナの垂直角度表示エリア、１０７，１０７Ａ：回転パラボラアンテナの垂直角度線、１０８，１０８Ａ，１０８Ｂ：回転パラボラアンテナの水平角度に該当する縦断面図、３０１：表示部、３０２：地図データファイル、３０３：高度データファイル、３０４：コンピュータ（ＣＰＵ）、３０５：地図断面図生成部、３０６：
処理部、３０７：メモリ、３０８：入力部。
【図１】
2005073007.tif 000003
【図２】
2005073007.tif 000004
【図３】
2005073007.tif 000005
【図４】
2005073007.tif 000006